(57)【要約】【課題】既存の電球用ソケット又は蛍光ランプ用ソケットに取り付けることができると共に、既存の電球用ソケット又は蛍光ランプ用ソケットが老朽化していても安全に電力を供給することができるＬＥＤランプ及びその設置方法を提供する。【解決手段】ＬＥＤランプは、ＬＥＤが配設されている光源部と、光源部が取り付けられた基体部と、基体部に設けられていると共に既設の照明器具に取り付け可能であり、光源部と電気的に接続されていない口金と、光源部と電気的に接続された電力供給用接続手段とを備えている。【選択図】  図１
2013025896.tif 000002
【特許請求の範囲】
【請求項１】
ＬＥＤが配設されている光源部と、
前記光源部が取り付けられた基体部と、
前記基体部に設けられていると共に既設の照明器具に取り付け可能であり、前記光源部と電気的に接続されていない口金と、
前記光源部と電気的に接続された電力供給用接続手段とを備えていることを特徴とするＬＥＤランプ。
【請求項２】
前記口金は、電球用ソケットの雌ネジ端子に螺合可能な雄ネジ部を有していることを特徴とする請求項１に記載のＬＥＤランプ。
【請求項３】
前記口金は、蛍光ランプ用ソケットに嵌合する端子を有していることを特徴とする請求項１に記載のＬＥＤランプ。
【請求項４】
前記口金は、絶縁材料で形成されていることを特徴とする請求項１〜３のいずれか１項に記載のＬＥＤランプ。
【請求項５】
前記基体部に前記光源部を駆動するための駆動電源部が設けられていることを特徴とする請求項１から４のいずれか１項に記載のＬＥＤランプ。
【請求項６】
前記電力供給用接続手段は、前記基体部に配置されていることを特徴とする請求項１から５のいずれか１項に記載のＬＥＤランプ。
【請求項７】
前記電力供給用接続手段は、圧着端子であることを特徴とする請求項１から５のいずれか１項に記載のＬＥＤランプ。
【請求項８】
ＬＥＤが配設されている光源部と、前記光源部が取り付けられた基体部と、前記基体部に設けられていると共に既設の照明器具に取り付け可能であり、前記光源部と電気的に接続されていない口金と、前記基体部に設けられ、前記光源部と電気的に接続された電力供給用接続手段とを備えるＬＥＤランプを用意し、
電球用ソケット又は蛍光ランプ用ソケットを有する既設の照明器具への電力供給配線を切断し、
前記口金を前記電球用ソケット又は蛍光ランプ用ソケットに機械的に取り付け、
前記電力供給用接続手段に前記電力供給用配線を電気的に結線することを特徴とするＬＥＤランプの設置方法。
【請求項９】
前記ＬＥＤランプの口金は、電球用ソケットの雌ネジ端子に螺合可能な雄ネジ部を有していることを特徴とする請求項８に記載のＬＥＤランプの設置方法。
【請求項１０】
前記ＬＥＤランプの口金は、蛍光灯用ソケットに嵌合する端子を有していることを特徴とする請求項８に記載のＬＥＤランプの設置方法。
【発明の詳細な説明】
【技術分野】
【０００１】
本発明は、ＬＥＤ（発光ダイオード）を光源として用いられ、既設の電球用ソケット、又は蛍光ランプ用ソケットに取り付け可能なＬＥＤランプ及びその設置方法に関する。
【背景技術】
【０００２】
従来より、照明用光源としては主に白熱灯や蛍光ランプが用いられていたが、これら白熱灯や蛍光ランプの寿命は比較的短く、短期間で定期的に交換する必要があった。
【０００３】
近年、消費電力が少なく、かつ耐久性に優れるＬＥＤを多数取付けたＬＥＤ照明器具が利用されている。特に、既設の電球用ソケットに取り付けて使用できる電球形ＬＥＤランプ（例えば、特許文献１）、及び蛍光ランプを用いる既設の蛍光灯照明器具に取り付けて使用できる蛍光灯形ＬＥＤランプ（例えば、特許文献２）が開発されている。
【０００４】
このような電球形ＬＥＤランプ及び蛍光灯形ＬＥＤランプは、商用の交流電流（電圧）を直流電流（電圧）に変換する定電流駆動電源部を使用するため、従来の蛍光灯用安定器は不要となる。
【先行技術文献】
【特許文献】
【０００５】
【特許文献１】特開２００６−３１３７１７号公報
【特許文献２】特開２００７−２５７９２８号公報
【発明の概要】
【発明が解決しようとする課題】
【０００６】
特許文献１及び２に記載のＬＥＤランプは、既設のソケットに取り付けることができる便利性があるが、老朽化している既設のソケットを引き続き使用することで、ＬＥＤランプの寿命に対し、既設のソケットの寿命がＬＥＤランプの寿命に対応できない場合があり、最悪の場合、事故の発生する危険性があった。
【０００７】
従って、本発明は従来技術の上述した問題点を解消するものであり、本発明の目的は、既存の白熱電球又は蛍光灯設置器具のソケットに取り付けることができると共に、既存の白熱電球又は蛍光灯設置器具のソケットが老朽化していても安全に電力を供給することができるＬＥＤランプ及びその設置方法を提供することにある。
【課題を解決するための手段】
【０００８】
本発明によれば、ＬＥＤが配設されている光源部と、光源部が取り付けられた基体部と、基体部に設けられていると共に既設の照明器具に取り付け可能であり、前記光源部と電気的に接続されていない口金と、光源部と電気的に接続された電力供給用接続手段とを備えているＬＥＤランプが提供される。
【０００９】
既設の照明器具に取り付け可能であるが、光源部とは電気的に接続されていない口金と、光源部と電気的に接続された電力供給用接続手段とを備えていることで、既存の電球用ソケット又は蛍光ランプ用ソケットに取り付けることができると共に、ソケットの導電機能を利用せず、別配線で電力を供給することができ、既存の電球用ソケット又は蛍光ランプ用ソケットが老朽化していても安全に電力を供給することができる。
【００１０】
口金は、電球用ソケットの雌ネジ端子に螺合可能な雄ネジ部を有していることが好ましい。このように、既設の電球用ソケットの取り付けることができる。また、口金は、蛍光灯用ソケットに嵌合する端子を有していることが好ましい。このように、既設の蛍光灯用ソケットの取り付けることができる。
【００１１】
口金は、絶縁材料で形成されている。このように、既存の電球用ソケット又は蛍光灯用ソケットと確実に電気的に接続されないことになる。また、加工も容易になる。
【００１２】
基体部に光源部を駆動するための駆動電源部が設けられていることが好ましい。このように、商用電源に直接に接続し電力を供給することが可能である。配線が容易にできる。
【００１３】
電力供給用接続手段は、基体部に配置されている。このように、ＬＥＤランプがコンパクトに形成することができ、配線接続が簡単にできる。また、電力供給用接続手段は、圧着端子であることが好ましい。このように、ＬＥＤランプから引き出した配線と商用電源の配線との接続が簡単にできる。また、コストを抑えることができる。
【００１４】
本発明によれば、ＬＥＤが配設されている光源部と、光源部が取り付けられた基体部と、基体部に設けられていると共に既設の照明器具に取り付け可能であり、光源部と電気的に接続されていない口金と、基体部に設けられ、光源部と電気的に接続された電力供給用接続手段とを備えるＬＥＤランプを用意し、電球用ソケット又は蛍光ランプ用ソケットを有する既設の照明器具への電力供給配線を切断し、口金を電球用ソケット又は蛍光ランプ用ソケットに機械的に取り付け、電力供給用接続手段に電力供給用配線を電気的に結線するＬＥＤランプの設置方法が提供される。
【００１５】
既存の電球用ソケット又は蛍光ランプ用ソケットに取り付けることができると共に、ソケットの導電機能を利用せず、別配線で電力を供給することができ、既存の電球用ソケット又は蛍光ランプ用ソケットが老朽化していても安全に電力を供給することができる。また、設置工事も容易となる。
【発明の効果】
【００１６】
本発明によれば、ＬＥＤランプは、既設の照明器具に取り付け可能であるが、光源部とは電気的に接続されていない口金と、光源部と電気的に接続された電力供給用接続手段とを備えていることで、既存の電球用ソケット又は蛍光ランプ用ソケットに取り付けることができると共に、ソケットの導電機能を利用せず、別配線で電力を供給することができ、既存の電球用ソケット又は蛍光ランプ用ソケットが老朽化していても安全に電力を供給することができる。また、配線接続が簡単にでき、設置工事も容易となる。
【図面の簡単な説明】
【００１７】
【図１】本発明の第１の実施形態におけるＬＥＤランプ及びその設置構造を概略的に示す平面図である。
【図２】本発明の第２の実施形態におけるＬＥＤランプの設置構造を概略的に示す平面図である。
【図３】本発明の第３の実施形態におけるＬＥＤランプ及びその設置構造を概略的に示す平面図である。
【図４】本発明の第４の実施形態におけるＬＥＤランプの設置構造を概略的に示す平面図である。
【図５】本発明の第５の実施形態におけるＬＥＤランプ及びその設置構造を概略的に示す平面図である。
【図６】本発明の第６の実施形態におけるＬＥＤランプ及びその設置構造を概略的に示す平面図である。
【発明を実施するための形態】
【００１８】
以下、本発明に係るＬＥＤランプ及びその設置構造の実施形態を、図を参照して説明する。
【００１９】
図１は本発明の第１の実施形態におけるＬＥＤランプの構成及びその設置構造を示している。図１において、既設の電球用ソケット１２０の一部を断面図で内部構成を示している。
【００２０】
図１に示すように、ＬＥＤランプの設置構造１００は、電球形ＬＥＤランプ１１０と、既設の電球用ソケット１２０と、商用電源に接続されたコネクタ１３０とを備え、電球形ＬＥＤランプ１１０は、電力供給配線が切断された電球用ソケット１２０に装着され、コネクタ１３０に電気的に接続されている。
【００２１】
電球形ＬＥＤランプ１１０は、複数のＬＥＤが配列された電球形ＬＥＤランプである。この電球形ＬＥＤランプ１１０は、複数のＬＥＤ素子１０と、基板２０と、カバー３０と、基体部４０と、コネクタ５０と、口金６０と、駆動電源部７０とを備えている。
【００２２】
各ＬＥＤ素子１０としては、チップ型発光ダイオード又は砲弾型発光ダイオードが用いられる。この実施形態においては、チップ型発光ダイオードを用いている。
【００２３】
カバー３０は、透明又は半透明樹脂を成型することにより形成されている。なお、カバー３０にレンズ機能を持たせるようにしてもよい。なお、カバー３０をガラスで形成してもよい。
【００２４】
基体部４０は、放熱機能を有し、基板２０が装着されている。また、基体部４０には、コネクタ５０が配置されている。また、基体部４０の内部には、駆動電源部７０が配置されている。
【００２５】
コネクタ５０は、電力供給用接続手段として、基体部４０に設けられ、電気接線を行い電力供給用の雌コネクタである。駆動電源部７０とはリード線Ｗで接続されている。商用電源の電力を駆動電源部７０に供給するためのものである。このコネクタ５０を商用電源に接続されたコネクタ１３０と電気的に接続することで、電力を供給することができる。
【００２６】
口金６０は、既設の電球用ソケット１２０の雌ネジ端子に螺合可能な雄ネジ部を有するものである。口金６０を既設の電球用ソケット１２０に螺入することにより、ＬＥＤランプ１１０が電球用ソケット１２０に機械的に取り付けられる。口金６０は、ＬＥＤ素子１０とは電気的に接続されておらず、ＬＥＤランプ１１０を電球用ソケット１２０に機械的に固定する機能のみを有している。なお、口金６０は、絶縁材料（例えば、樹脂等）で形成されてもよい。これにより、既存の電球用ソケットと確実に電気的に接続されないことになる。また、加工も容易になる。
【００２７】
駆動電源部７０は、商用の交流電流（電圧）を降圧すると共に直流電流（電圧）に変換する降圧回路、整流回路及び平滑用コンデンサを備え、ＬＥＤ素子１０に電力供給してこれを発光させる。
【００２８】
また、既設の電球用ソケット１２０は、端子１２０ａと、ＬＥＤランプ１１０の口金６０と螺合するための螺合部１２０ｂとを有するものである。この既設の電球用ソケット１２０は、例えば、ＪＩＳ規格のＥ１１、Ｅ１７、Ｅ２６、Ｅ３９等のＨＩＤランプ用ソケット又は白熱電球用ソケットである。
【００２９】
また、コネクタ１３０は、電力供給用のコネクタ５０に挿入し、電気的に接続するための端子１３０ａ及び１３０ｂを有する雄コネクタである。コネクタ１３０は、電力供給用配線１３１を介して商用電源に接続されている。なお、必要に応じて、コネクタ１３０を雌コネクタにし、コネクタ５０を雄コネクタにしてもよい。
【００３０】
電球形ＬＥＤランプ１１０の設置方法は、まず、電球形ＬＥＤランプ１１０を用意し、次に、電球用ソケット１２０を有する既設の照明器具への電力供給配線を切断し、そして、ＬＥＤランプ１１０の口金６０を電球用ソケット１２０に機械的に取り付け、最後に、電力供給用コネクタ５０にコネクタ１３０を介して電力供給用配線を電気的に結線する。
【００３１】
図２は本発明の第２の実施形態として、既存の照明器具が安定器を有する場合のＬＥＤランプの設置構造２００を示している。図２において、既設の電球用ソケット１２０の一部を断面図で内部構成を示している。
【００３２】
図２に示すように、安定器を有する場合の、ＬＥＤランプ１１０の設置方法は、まず、ＬＥＤランプ１１０を用意し、次に、商用電源から安定器への接線を切断し、そして、ＬＥＤランプ１１０の口金６０を電球用ソケット１２０に機械的に取り付け、最後に、コネクタ５０とコネクタ１３０とを電気的に結線する。
【００３３】
このように、本実施形態においては、ＬＥＤランプの設置構造１００及び２００は、電力供給用のコネクタ５０を有する電球形ＬＥＤランプ１１０と、既設の電球用ソケット１２０と、商用電源に接続されたコネクタ１３０とを備え、電球形ＬＥＤランプ１１０は、電力供給配線が切断された電球用ソケット１２０に装着され、コネクタ１３０に電気的に接続されている。
【００３４】
これにより、既存の電球形照明器具のソケットに取り付けることができると共に、既存の電球形照明器具のソケットが老朽化していても安全に電力を供給することができる。
【００３５】
また、設置工事も容易で、新規のＬＥＤ照明設置器具へ交換するのと比較して、導入費用を抑え、短い工期で電力削減が実現可能である。
【００３６】
図３は本発明の第３の実施形態におけるＬＥＤランプの構成及びその設置構造を示している。図３において、既設の電球用ソケット１２０の一部を断面図で内部構成を示している。
【００３７】
図３に示すように、ＬＥＤランプの設置構造３００は、電球形ＬＥＤランプ１１０Ａと、既設の電球用ソケット１２０と、商用電源に接続されたコネクタ１３０と、駆動電源部７０Ａとを備え、電球形ＬＥＤランプ１１０Ａは、電力供給配線が切断された電球用ソケット１２０に装着され、駆動電源部７０Ａに接続されたコネクタ１３０に電気的に接続されている。
【００３８】
電球形ＬＥＤランプ１１０Ａは、ＬＥＤ素子１０と、基板２０と、カバー３０と、基体部４０と、コネクタ５０と、口金６０とを備えている。この場合、電球形ＬＥＤランプ１１０Ａは、駆動電源部非内蔵タイプであり、駆動電源部７０Ａは、電気配線路に配置されている。
【００３９】
電球形ＬＥＤランプ１１０Ａにおいて、基板２０とコネクタ５０とは、リード線Ｗで接続されている。コネクタ５０はリード線を介して基体部４０に固定されている。電球形ＬＥＤランプ１１０Ａの各部の構成は、駆動電源部７０Ａが外部に配置している以外に上述した第１の実施形態と同様である。ここで、詳細な説明を省略する。
【００４０】
電球形ＬＥＤランプ１１０Ａの設置方法は、まず、電球形ＬＥＤランプ１１０Ａを用意し、次に、電球用ソケット１２０を有する既設の照明器具への電力供給配線を切断し、次に、駆動電源部７０Ａを電気配線路に配置しコネクタ１３０を接続し、そして、ＬＥＤランプ１１０Ａの口金６０を電球用ソケット１２０に機械的に取り付け、最後に、コネクタ５０とコネクタ１３０とを電気的に結線する。
【００４１】
図４は本発明の第４の実施形態として、既存の照明器具が安定器を有する場合のＬＥＤランプの設置構造４００を示している。図４において、既設の電球用ソケット１２０の一部を断面図で内部構成を示している。
【００４２】
図４に示すように、安定器を有する場合の、電球形ＬＥＤランプ１１０Ａの設置方法は、まず、電球形ＬＥＤランプ１１０Ａを用意し、次に、商用電源から安定器への接線を切断し、次に、駆動電源部７０Ａを電気配線路に配置しコネクタ１３０を接続し、そして、電球形ＬＥＤランプ１１０Ａの口金６０を電球用ソケット１２０に機械的に取り付け、最後に、コネクタ５０とコネクタ１３０とを電気的に結線する。
【００４３】
図５は本発明の第５の実施形態におけるＬＥＤランプの構成及びその設置構造を示している。図５において、既設の直管形蛍光ランプ用ソケットに直管形ＬＥＤランプを設置する構成を示し、また、直管形ＬＥＤランプ１１０Ｂの一部を断面図で内部構成を示している。
【００４４】
図５に示すように、ＬＥＤランプの設置構造５００は、直管形ＬＥＤランプ１１０Ｂと、既設の直管形蛍光ランプ用ソケット１２０Ａと、商用電源に接続されたコネクタ１３０とを備え、直管形ＬＥＤランプ１１０Ｂは、電力供給配線が切断された直管形蛍光ランプ用ソケット１２０Ａに装着され、コネクタ１３０に電気的に接続されている。
【００４５】
直管形ＬＥＤランプ１１０Ｂは、複数のＬＥＤが配列され、駆動電源内蔵タイプの直管形ＬＥＤランプである。この直管形ＬＥＤランプ１１０Ｂは、ＬＥＤ素子１０と、基板２０と、カバー３０Ａと、基体部４０Ａと、コネクタ５０と、口金６０Ａと、駆動電源部７０Ｂとを備えている。コネクタ５０と駆動電源部７０Ｂとは、リード線Ｗで接続されている。
【００４６】
カバー３０Ａは、透明又は半透明樹脂を成型することにより形成されている。なお、カバー３０Ａにレンズ機能を持たせるようにしてもよい。なお、カバー３０Ａをガラスで形成してもよい。
【００４７】
基体部４０Ａは、放熱機能を有し、基板２０が装着されている。また、基体部４０Ａには、コネクタ５０が配置されている。また、基体部４０Ａの内部には、駆動電源部７０Ｂが配置されている。
【００４８】
口金６０Ａは、蛍光ランプ用ソケットに嵌合する端子を有するものである。口金６０Ａを既設の直管形蛍光ランプ用ソケット１２０Ａに嵌入することにより、直管形ＬＥＤランプ１１０Ｂが直管形蛍光ランプ用ソケット１２０Ａに機械的に取り付けられる。口金６０Ａは、ＬＥＤ素子１０とは電気的に接続されておらず、直管形ＬＥＤランプ１１０Ｂを直管形蛍光ランプ用ソケット１２０Ａに固定する機能のみを有している。なお、蛍光ランプ用ソケットに嵌合する端子は、絶縁材料（例えば、樹脂等）で形成されてもよい。これにより、既存の蛍光ランプ用ソケットと確実に電気的に接続されないことになる。
【００４９】
駆動電源部７０Ｂは、商用の交流電流（電圧）を降圧すると共に直流電流（電圧）に変換する降圧回路、整流回路及び平滑用コンデンサを備え、ＬＥＤ素子１０を電力供給し発光させるものである。
【００５０】
直管形ＬＥＤランプ１１０Ｂの設置方法は、まず、ＬＥＤランプ１１０Ｂを用意し、次に、商用電源から安定器への接線を切断し、そして、ＬＥＤランプ１１０Ｂの口金６０Ａを直管形蛍光ランプ用ソケット１２０Ａに機械的に取り付け、最後に、電力供給用コネクタ５０にコネクタ１３０を介して電力供給用配線を電気的に結線する。
【００５１】
このように、本実施形態においては、ＬＥＤランプの設置構造５００は、電力供給用のコネクタ５０を有する直管形ＬＥＤランプ１１０Ｂと、既設の直管形蛍光ランプ用ソケット１２０Ａと、商用電源に接続されたコネクタ１３０とを備え、直管形ＬＥＤランプ１１０Ｂは、電力供給配線が切断された直管形蛍光ランプ用ソケット１２０Ａに装着され、コネクタ１３０に電気的に接続されている。
【００５２】
これにより、既存の直管形照明器具のソケットに取り付けることができると共に、既存の直管形照明器具のソケットが老朽化していても安全に電力を供給することができる。
【００５３】
図６は本発明の第６の実施形態におけるＬＥＤランプの構成及びその設置構造を示している。図６において、既設の直管形蛍光ランプ用ソケットに直管形ＬＥＤランプの設置構造６００を示し、また、直管形ＬＥＤランプ１１０Ｃの一部を断面図で内部構成を示している。
【００５４】
図６に示すように、ＬＥＤランプの設置構造６００は、直管形ＬＥＤランプ１１０Ｃと、既設の直管形蛍光ランプ用ソケット１２０Ａと、駆動電源部７０Ｃを介して商用電源に接続されたコネクタ１３０と、駆動電源部７０Ｃとを備え、直管形ＬＥＤランプ１１０Ｃは、電力供給配線が切断された直管形蛍光ランプ用ソケット１２０Ａに装着され、駆動電源部７０Ｃに接続されたコネクタ１３０に電気的に接続されている。
【００５５】
直管形ＬＥＤランプ１１０Ｃは、ＬＥＤ素子１０と、基板２０と、カバー３０Ａと、基体部４０Ａと、コネクタ５０と、口金６０Ａとを備えている。この場合、直管形ＬＥＤランプ１１０Ｃは、駆動電源部非内蔵タイプであり、駆動電源部７０Ｃは、電気配線路に配置されている。
【００５６】
また、直管形ＬＥＤランプ１１０Ｃにおいて、基板２０とコネクタ５０とは、リード線Ｗで接続されている。また、コネクタ５０はリード線を介して基体部４０に固定されている。直管形ＬＥＤランプ１１０Ｃの各部の構成は、駆動電源部７０Ｃが外部に配置している以外に上述した第５の実施形態の場合と同様である。ここで、詳細な説明を省略する。
【００５７】
直管形ＬＥＤランプ１１０Ｃの設置方法は、まず、直管形ＬＥＤランプ１１０Ｃを用意し、次に、商用電源から安定器への接線を切断し、次に、駆動電源部７０Ｃを電気配線路に配置しコネクタ１３０を接続し、そして、直管形ＬＥＤランプ１１０Ｃの口金６０を直管形蛍光ランプ用ソケット１２０Ａに機械的に取り付け、最後に、コネクタ５０とコネクタ１３０とを電気的に結線する。
【００５８】
このように、本実施形態において、ＬＥＤランプの設置構造６００は、上記第５の実施形態の場合と同様な効果が得られる。
【００５９】
なお、上述した第１〜第６の実施形態において、電力供給用接続手段としてのコネクタ５０、及び相手側のコネクタ１３０は、雄、雌型のコネクタの例について説明したが、本発明はこれに限定されるものではない。例えば、電力供給用接続手段には、リード線を接続するための圧着端子を用いてもよい。この場合、ＬＥＤランプから引き出した配線と商用電源の配線との接続が簡単にできる。また、コストを抑えることができる。
【００６０】
また、上述した第１〜第６の実施形態において、電球形ＬＥＤランプ１１０、１１０Ａ、及び直管形ＬＥＤランプ１１０Ｂ、１１０ＣのＬＥＤ素子１０は、下向きに配置されているが、本発明はこれに限定されるものではない。
【００６１】
また、上述した第５及び第６の実施形態において、既設の直管形蛍光ランプ用ソケットに直管形ＬＥＤランプの設置構造５００及び６００について説明したが、本発明はこれに限定されるものではない。直管形以外の蛍光ランプ用ソケットにＬＥＤランプを設置する場合にも、本発明を適用できる。
【産業上の利用可能性】
【００６２】
本発明は、電球又は蛍光灯からＬＥＤランプに取り替える際に、既設の電球又は蛍光灯用照明器具に電球形又は蛍光灯タイプのＬＥＤランプを取り付ける目的に利用できる。
【符号の説明】
【００６３】
１０  ＬＥＤ素子
２０  基板
３０，３０Ａ  カバー
４０，４０Ａ  基体部
５０  コネクタ
６０，６０Ａ  口金
７０，７０Ａ，７０Ｂ，７０Ｃ  駆動電源部
１００，２００，３００，４００，５００，６００  ＬＥＤランプの設置構造
１１０，１１０Ａ  電球形ＬＥＤランプ
１１０Ｂ，１１０Ｃ  直管形ＬＥＤランプ
１２０  電球用ソケット
１２０ａ  端子
１２０ｂ  螺合部
１２０Ａ  直管形蛍光ランプ用ソケット
１３０  コネクタ
１３０ａ，１３０ｂ  端子
１３１  電力供給用配線
【図１】
2013025896.tif 000003
【図２】
2013025896.tif 000004
【図３】
2013025896.tif 000005
【図４】
2013025896.tif 000006
【図５】
2013025896.tif 000007
【図６】
2013025896.tif 000008